(57)【要約】【課題】浄化手段の異常を的確に判断し、報知、対策等を行うことができる加熱調理器を得る。【解決手段】内部に収納された被加熱物を加熱調理する機能を有する調理庫６０と、調理庫６０内と本体外とを連通し、調理庫６０内の気体を本体外に排出する排気通路６３と、調理庫６０内に生じる臭気及び／又は油煙を吸着及び／又は分解する機能を有する脱臭・脱煙装置６５と、脱臭・脱煙装置６５の下流側に設けられ、排気風路６３の気体の流れを促進させるための排気促進用ファン６６と、脱臭・脱煙装置６５の機能劣化を検知する光センサ７０等と、光センサ７０等の検知に基づいて、脱臭・脱煙装置６５が劣化したかどうかを判断する制御手段１１とを備える。【選択図】図４
2010243107.tif 000002
【特許請求の範囲】
【請求項１】
内部に収納された被加熱物を加熱調理する機能を有する調理庫と、
該調理庫内と本体外とを連通し、該調理庫内の気体を本体外に排出する排気通路と、
前記調理庫内に生じる臭気及び／又は油煙を吸着及び／又は分解する機能を有する浄化手段と、
前記浄化手段の下流側に設けられ、前記排気通路の気体の流れを促進させるための送風手段と、
前記浄化手段の機能劣化を検知する劣化検知手段と、
該劣化検知手段の検知に基づいて、前記浄化手段が劣化したかどうかを判断する制御手段と
を備えることを特徴とする加熱調理器。
【請求項２】
内部に収納された被加熱物を加熱調理する機能を有する調理庫と、
該調理庫内と本体外とを連通し、該調理庫内の気体を本体外に排出する排気通路と、
前記調理庫内に生じる臭気及び／又は油煙を吸着及び／又は分解する機能を有する浄化手段と、
前記浄化手段の下流側に設けられ、前記排気通路の気体の流れを促進させるための送風手段と、
前記浄化手段の機能劣化を検知する劣化検知手段と、
該劣化検知手段の検知に基づいて、前記浄化手段が劣化したかどうかを判断する制御手段とを備え、
前記劣化検知手段は、前記送風手段の回転数を検知するための回転数検知手段をさらに備え、
該回転数検知手段から得られる、前記送風手段の回転数に基づいて、前記浄化手段の機能劣化を検知することを特徴とする加熱調理器。
【請求項３】
前記回転数検知手段は、前記送風手段と接触せずに前記回転数に係る検知を行う非接触式の検知手段であることを特徴とする請求項２記載の加熱調理器。
【請求項４】
内部に収納された被加熱物を加熱調理する機能を有する調理庫と、
該調理庫内と本体外とを連通し、該調理庫内の気体を本体外に排出する排気通路と、
前記調理庫内に生じる臭気及び／又は油煙を吸着及び／又は分解する機能を有する浄化手段と、
前記浄化手段の下流側に設けられ、前記排気通路の気体の流れを促進させるための送風手段と、
前記浄化手段の機能劣化を検知する劣化検知手段と、
該劣化検知手段の検知に基づいて、前記浄化手段が劣化したかどうかを判断する制御手段とを備え、
前記劣化検知手段は、前記送風手段に供給する電流を検知する駆動電流検知手段をさらに備え、
該駆動電流検知手段から得られる、前記送風手段に供給する電流に基づいて、前記浄化手段の機能劣化を検知することを特徴とする加熱調理器。
【請求項５】
内部に収納された被加熱物を加熱調理する機能を有する調理庫と、
該調理庫内と本体外とを連通し、該調理庫内の気体を本体外に排出する排気通路と、
前記調理庫内に生じる臭気及び／又は油煙を吸着及び／又は分解する機能を有する浄化手段と、
前記浄化手段の機能劣化を検知する劣化検知手段と、
該劣化検知手段の検知に基づいて、前記浄化手段が劣化したかどうかを判断する制御手段とを備え、
前記劣化検知手段は、前記排気通路を流れる気体の風速を検知するための風速検知手段をさらに備え、
該風速検知手段から得られる、前記排気通路を流れる気体の風速に基づいて、前記浄化手段の機能劣化を検知することを特徴とする加熱調理器。
【請求項６】
内部に収納された被加熱物を加熱調理する機能を有する調理庫と、
該調理庫内と本体外とを連通し、該調理庫内の気体を本体外に排出する排気通路と、
前記調理庫内に生じる臭気及び／又は油煙を吸着及び／又は分解する機能を有する浄化手段と、
前記浄化手段の機能劣化を検知する劣化検知手段と、
該劣化検知手段の検知に基づいて、前記浄化手段が劣化したかどうかを判断する制御手段とを備え、
前記浄化手段は、少なくとも脱煙機能を有し、
前記劣化検知手段は、光を発する発光素子と、該発光素子に係る光を受けて、該光の強さに基づく信号を送信する受光素子とを有し、前記排気通路における気体の流れに対して前記浄化手段の下流側の位置に設けた光検知手段の、前記受光素子が受けた光の強さに基づいて、前記浄化手段の機能劣化を検知することを特徴とする加熱調理器。
【請求項７】
前記光検知手段は、前記発光素子が発し、前記排気通路が反射した光を、前記受光素子が受けるように構成することを特徴とする請求項６記載の加熱調理器。
【請求項８】
内部に収納された被加熱物を加熱調理する機能を有する調理庫と、
該調理庫内と本体外とを連通し、該調理庫内の気体を本体外に排出する排気通路と、
前記調理庫内に生じる臭気及び／又は油煙を吸着及び／又は分解する機能を有する浄化手段と、
前記浄化手段の機能劣化を検知する劣化検知手段と、
該劣化検知手段の検知に基づいて、前記浄化手段が劣化したかどうかを判断する制御手段とを備え、
前記浄化手段は、少なくとも脱煙機能を有し、
前記劣化検知手段は、前記浄化手段に電流を供給する電流供給手段と、前記浄化手段を流れる電流を検知する電流検知手段とをさらに備え、
前記電流検知手段が検知する電流又は、この電流から得られる前記浄化手段の電気抵抗に基づいて、前記浄化手段の機能劣化を検知することを特徴とする加熱調理器。
【請求項９】
内部に収納された被加熱物を加熱調理する機能を有する調理庫と、
該調理庫内と本体外とを連通し、該調理庫内の気体を本体外に排出する排気通路と、
前記調理庫内に生じる臭気及び／又は油煙を吸着及び／又は分解する機能を有する浄化手段と、
前記浄化手段の機能劣化を検知する劣化検知手段と、
該劣化検知手段の検知に基づいて、前記浄化手段が劣化したかどうかを判断する制御手段とを備え、
前記浄化手段は、少なくとも脱煙機能を有し、
前記劣化検知手段は、前記浄化手段の温度を検知する温度検知手段をさらに備え、
前記温度検知手段が検知する温度データから算出した前記浄化手段における温度上昇の変化に基づいて、前記浄化手段の機能劣化を検知することを特徴とする加熱調理器。
【請求項１０】
前記劣化検知手段は、前記浄化手段の機能劣化を検知すると、被加熱物の加熱調理動作を停止させる又は開始させないようにすることを特徴とする請求項１〜９のいずれかに記載の加熱調理器。
【請求項１１】
前記制御手段の判断に基づいて、前記浄化手段の機能劣化を報知する報知手段をさらに備えることを特徴とする請求項１〜１０のいずれかに記載の加熱調理器。
【発明の詳細な説明】
【技術分野】
【０００１】
本発明は加熱調理器に関するものである。特に被加熱物を加熱した際に発生する臭気や油煙の脱臭、脱煙等を行う脱臭・脱煙手段における経年劣化等の異常を判断し、報知するものである。
【背景技術】
【０００２】
例えば、魚等の被加熱物を加熱するグリル装置等を有する加熱調理器においては、被加熱物を入れて加熱するための調理庫に排気風路を連通させている。そして、排気風路を介して調理庫内の空気を外部に排出する。ここで、例えば触媒を有する触媒装置等の脱臭・脱煙手段を排気風路中に設け、調理庫内の空気に含まれる臭気、油煙等の成分を酸化分解等することにより脱臭、脱煙等の空気の浄化を行ってから排出している（例えば特許文献１参照）。
【先行技術文献】
【特許文献】
【０００３】
【特許文献１】特開２００５−２０４８５４号公報（図１）
【発明の概要】
【発明が解決しようとする課題】
【０００４】
ここで、例えば排気風路中の脱臭・脱煙等を行う浄化手段において、経年劣化、被加熱物から発せられる油等の異物の多量付着等により異常が発生すると、本来の脱臭、脱煙等の機能が行えなくなる。脱臭・脱煙手段における脱臭、脱煙等が不十分であると、臭気、油煙等を含む空気が外部に排出されてしまい、例えば台所に煙を充満させる、台所の壁面を汚す等、様々な弊害が生じる。
【０００５】
そこで、本発明は、浄化手段の異常を的確に判断し、報知、対策等を行うことができる加熱調理器を得ることを目的とする。
【課題を解決するための手段】
【０００６】
本発明に係る加熱調理器は、内部に収納された被加熱物を加熱調理する機能を有する調理庫と、調理庫内と本体外とを連通し、調理庫内の気体を本体外に排出する排気通路と、調理庫内に生じる臭気及び／又は油煙を吸着及び／又は分解する機能を有する浄化手段と、浄化手段の下流側に設けられ、排気通路の気体の流れを促進させるための送風手段と、浄化手段の機能劣化を検知する劣化検知手段と、劣化検知手段の検知に基づいて、浄化手段が劣化したかどうかを判断する制御手段とを備える。
【発明の効果】
【０００７】
本発明によれば、劣化検知手段の検知に基づいて浄化手段の機能劣化を判断するようにしたので、例えば報知等を行うことにより、浄化手段が機能せずに、加熱調理器、台所等を油煙等で汚す前に、点検、交換等による対応を促すことができる。また、早期の対応を行うことができるため、事故等を未然に防止等することができる。
【図面の簡単な説明】
【０００８】
【図１】この発明の実施の形態１に係る加熱調理器の一例を表す図である。
【図２】加熱調理器のグリル部６の構造の概略を表す図である。
【図３】グリル部６の内部構造を側面側からみた場合の概略を表す図である。
【図４】グリル部６を中心とする制御関係の構成を示すブロック図である。
【図５】触媒の劣化判断等に関する処理のフローチャートを表す図である。
【図６】実施の形態２に係る加熱調理器の断面を表す図である。
【図７】実施の形態３に係る加熱調理器の断面を表す図である。
【図８】実施の形態４に係る加熱調理器の断面を表す図である。
【図９】実施の形態５に係る加熱調理器の断面を表す図である。
【図１０】実施の形態７に係る加熱調理器の断面を表す図である。
【発明を実施するための形態】
【０００９】
実施の形態１．
図１はこの発明の実施の形態１に係る加熱調理器の一例を表す図である。本実施の形態では、加熱調理器であるグリル装置を有するＩＨクッキングヒータについて説明する。図１において、ＩＨクッキングヒータ上面には、天板（トッププレート）１、例えば電磁誘導加熱を行う左誘導加熱部２Ａ及び右誘導加熱部２Ｂを有する誘導加熱部２、中央ヒータを有するヒータ部３、上面操作部４Ａ、上面表示部５Ａ、通気口７Ａ及び７Ｂを設けている。また、ＩＨクッキングヒータ本体内にはグリル装置であるグリル部６を設けている。そして、前面には、グリル部６に被加熱物を出し入れするための、取っ手６２を有するグリル扉６１、また、前面操作部４Ｂ及び前面表示部５Ｂを設けている。
【００１０】
天板１の手前側（使用者側）に設けられた上面操作部４Ａには、誘導加熱部２、ヒータ部３及びグリル部６の入／切や火力調節等の操作ボタンを配設している。また、グリル部６の右側に設けた前面操作部４Ｂには、例えば、加熱調理器全体をオン／オフするメイン操作ボタンと、火力（出力）の設定を行う回転式操作ボタンを配設している。
【００１１】
また、上面表示部５Ａは、誘導加熱部２、ヒータ部３、グリル部６の火力、使用状況等の表示を行う。ここでは、後述するように、特にグリル部６に設けた浄化手段となる脱臭・脱煙装置６５における触媒の異常に係る表示（例えば、点検、交換等を促す表示）を行うために用いるものとする。また、前面表示部５Ｂは、例えば誘導加熱部２、ヒータ部３の動作状態を文字を光らせて報知する動作ランプ（図示せず）、グリル扉６１が高温状態であることを報知する扉注意ランプ（図示せず）等を設けている。
【００１２】
図２は加熱調理器１のグリル部６の構造の概略を表す図である。例えば両面焼きが可能なグリル部６は、被加熱物を加熱する調理庫６０を有している。図２に示す調理庫６０内と連通する排気通路（ダクト）６３の排気口と図１において本体上面の奥側に設けた通気口７Ａとがつながっている。通気口７Ａには例えばフィルタを設け、本体内に埃、異物等が進入するのを防止している。一方、通気口７Ｂは、例えばＩＨクッキングヒータ本体内の電気回路等を冷却するための外気を取り入れる吸気口となる。
【００１３】
調理庫６０は、前面に開口部４１、後面に排気通路６３に連通する連通口（図示せず）を設けている。また、外側の側面には、レール可動部４８をスライド移動させるためのレール固定部４７を設けている。そして、レール可動部４８をレール固定部４７にならわせて前後にスライド移動させることにより、耐熱ガラス製の調理庫窓を有するグリル扉６１で調理庫６０の開口部４１を開閉することができる。
【００１４】
図３はグリル部６の内部構造を側面側からみた場合の概略を表す図である。図３は図２におけるＡ−Ａ’で切断したグリル部６をみている。グリル扉６１には、閉じた際の開口部４１の密閉、緩衝材として衝撃を和らげる等のために、パッキン６１Ａをグリル扉６１に設けている。そして、このグリル扉６１を、レール可動部４８と一体となった扉固定部４９により固定している。また、グリル扉６１のほかに、レール可動部４８のスライド移動により焼き網３１を載置する受皿（トレー）３０もレール可動部４８の移動と共に移動する。
【００１５】
ＩＨクッキングヒータ本体はこのグリル部６の調理庫６０を、誘導加熱部２の加熱コイルの下方に配設している。また、調理庫６０内には、調理庫内の温度を上昇させ、被加熱物１００を加熱するための加熱手段となる上ヒータ４２及び下ヒータ４３（以下、特に区別しない場合には加熱ヒータという）を備えている。また、前述した受皿３０、焼き網３１等が配されている。
【００１６】
そして、連通口４６により調理庫６０と連通する排気通路６３には、連通口４６から通気口７Ａの方向に向かって、触媒用加熱ヒータ６４、脱臭・脱煙装置６５、排気促進用ファン６６の順に配設する。触媒用加熱ヒータ６４は、脱臭・脱煙装置６５が有する触媒による触媒作用の活性化を促進させるために加熱を行う手段である。脱臭・脱煙装置６５は被加熱物を加熱した際に発生する臭気、油煙等の成分を脱臭、脱煙等することにより、空気の浄化を行う手段である。ここで、脱臭・脱煙装置６５は、触媒作用により臭気、油煙等の成分を分解する触媒を用いて脱臭、脱煙を行うものとする。ここで、触媒の材料は、特に限定しないが、例えば白金系の金属材料、パラジウム等の貴金属、セリウム、ランタンなどの希土類、卑金属等を用いる。また、排気促進用ファン６６は、連通口４６から通気口７Ａの方向への気流を形成し、脱臭・脱煙装置６５を通過した空気を強制的に通気口７Ａより排出させる。この排気促進用ファン６６をファン駆動手段である駆動モータ６７が回転させる。ここでは、脱臭・脱煙装置６５として触媒を用いているが、例えば他のフィルタ等で構成してもよい。
【００１７】
そして、本実施の形態では、光検知手段となる光センサ７０を、脱臭・脱煙装置６５よりも下流の位置に設ける。光センサ７０は、例えば発光ダイオード等の発光素子で構成する発光部７０Ａと発光部７０Ａの光を受けて、光の強さを例えば電圧に変換した信号を送信するフォトトランジスタ等の受光素子で構成する受光部７０Ｂとを有している。例えば、被加熱物を加熱したときに発生する臭気、油煙を含む空気は、脱臭・脱煙装置６５が脱臭、脱煙等することにより浄化されるので、浄化されない場合の空気は、浄化された場合の空気と比べると、発光部７０Ａが発した光の透過率が低くなる。したがって、脱臭・脱煙装置６５が有する触媒が油等の異物の付着等によって分解を行えない等（以下、これらを触媒の劣化という）が進行すれば、多くの臭気、油煙等の成分が分解されずに脱臭・脱煙装置６５を通過するため、光の透過率が低くなっていく。そこで、本実施の形態では、発光部７０Ａが発した光を受光部７０Ｂが受けた強さに基づいて、脱臭・脱煙装置６５が正常に機能しているかどうか（触媒が劣化しているかどうか）を判断する。ここで、発光部７０Ａが発光する光の波長については、特に限定するものではないが、例えば、被加熱物から発生する油煙はすす等を含んでいるため可視光の領域となるようにする。
【００１８】
図４はグリル部６を中心とする制御関係の構成を示すブロック図である。例えば、マイクロコンピュータ等で構成される制御手段１１は、上面操作部４Ａ、前面操作部４Ｂから送信される指示に係る信号、各種検知手段から送信される検知に係る物理量の信号（ここでは特に光の強さに係る信号）に基づいて判断等の処理を行い、加熱調理器内の各手段の動作を制御する。本実施の形態では、特に受光部７０Ｂの受光に係る光の強さをデータとして、触媒の劣化が生じることなく脱臭・脱煙装置６５が正常に機能しているかどうかを判断する。そして、判断結果に基づいて、上面表示部５Ａに表示信号を送信して表示を行わせる処理を行う。ここで、図４では発光部７０Ａと受光部７０Ｂとを直接的に制御手段１１と接続しているが、例えば駆動回路等を有し、信号の増幅等を行うようにしてもよい。
【００１９】
また、ヒータ駆動手段４４に指示を含む信号を送信し、ヒータ駆動手段４４を介して上ヒータ４２、下ヒータ４３への通電（電力供給）を制御することにより、調理庫６０内の焼き網３１に置かれた被加熱物を加熱させる。さらに駆動モータ６７に指示を含む信号を送信し、駆動モータ６７を介して排気促進用ファン６６を制御して、調理庫６０内の空気を強制的に排出させる。ここで、本実施の形態では制御手段１１を１つの手段で構成しているが、例えば、加熱調理器全体に関して制御を行う制御手段と、グリル部６に関する制御を行う制御手段との２段構成等にしてもよい。
【００２０】
また、送信される信号に係るデータ、処理手順等、制御手段１１が処理を行うために必要なデータを一時的、長期的に記憶する記憶手段１２を有しているものとする。例えば、制御手段１１は、記憶手段１２に記憶されたプログラムに基づく手順により、加熱調理器に関する処理を実行するものとする。さらに、調理時間等を計測するための調理タイマ１３も有している。
【００２１】
図５は制御手段１１が行う触媒の劣化判断等に関する処理のフローチャートを表す図である。図５に基づいて、本実施の形態における脱臭・脱煙装置６５に係る処理について説明する。ここで、あらかじめ実験等を行うことにより、排気風路６３における光の透過率、受光部７０Ｂが受ける光の強さ、信号の電圧の関係に基づいて、あらかじめ実験等で電圧の閾値を決定し、電圧の閾値Ｖref のデータを記憶手段１２に記憶しておく。例えば、正常動作時の平均的な電圧の値を計測により求めておく。異常時は正常時に比べて光の透過率が低くなるため、平均電圧値より例えば１０％低くなった値を閾値に決定する。
【００２２】
例えば、上面操作部４Ａから入力された指示に基づいて、グリル部６における被加熱物の加熱を開始する。そして、加熱開始又は加熱開始から一定時間経過後に、制御手段１１は、光センサ７０の受光部７０Ｂからの信号に基づく電圧値Ｖを判断する（Ｓ１）。そして、電圧値Ｖと電圧の閾値Ｖref とを比較する（Ｓ２）。電圧値Ｖが電圧の閾値Ｖref よりも小さい（Ｖ＜Ｖref ）と判断すると、排気風路６３における光の透過率が低くなり、触媒が劣化しているものとして、上面表示部５Ａに、脱臭・脱煙装置６５の点検、交換等を促す表示を行わせ、報知する（Ｓ３）。
【００２３】
ここで、制御手段１１は、Ｖ＜Ｖref と判断すると、すぐに上面表示部５Ａに点検、交換等を促す表示を行わせるようにしてもよいが、例えば、Ｖ＜Ｖref であることを所定の回数判断したときに、表示を行わせるようにしてもよい。
【００２４】
以上のように、実施の形態１の加熱調理器によれば、光センサ７０を、脱臭・脱煙装置６５よりも下流の位置に設け、制御手段１１が、受光部７０Ｂの受光に係る光の強さ電圧値Ｖと電圧の閾値Ｖref との比較に基づいて、触媒が劣化しているものと判断すると、触媒の異常に係る表示、例えば点検、交換等を促す旨を上面表示部５Ａに表示させるようにしたので、例えば、加熱調理器、台所等を油煙等で汚す前に、点検、交換等による対応を促すことができる。また、早期に対応させることにより、事故等を未然に防止等することができる。
【００２５】
実施の形態２．
図６は本発明の実施の形態２に係る排気通路６３を中心とした加熱調理器の断面を表す図である。上述の実施の形態１では、排気通路６３において光センサ７０の発光部７０Ａと受光部７０Ｂとを対向させ、受光部７０Ｂは発光部７０Ａの発光に係る光を受光するようにした。
【００２６】
例えば、発光部７０Ａと受光部７０Ｂとを同じ側の面に設け、発光部７０Ａが発した光に対し、排気通路６３壁面が反射した光を受光部７０Ｂが受けるようにしてもよい。この受光部７０Ｂが受けた光の強さをデータとして、制御手段１１が脱臭・脱煙装置６５が正常に機能しているかどうかを判断するようにする。このため、発光部７０Ａと受光部７０Ｂとを対向させて光センサ７０を構成する必要がなく、省スペース化を図ることができ、光センサ７０の設置位置の自由度を高くすることができる。
【００２７】
実施の形態３．
図７は本発明の実施の形態３に係る排気通路６３を中心とした加熱調理器の断面を表す図である。主となる構成、制御系の手段構成は、実施の形態１で説明したことと同様である。上述の実施の形態１及び２では、光センサ７０を用いて、排気通路６３における光の透過の程度に基づいて触媒の劣化を判断した。本実施の形態は、脱臭・脱煙装置６５に、抵抗検知手段６５Ａ及び電流供給手段６５Ｂを設け、脱臭・脱煙装置６５の触媒における電気抵抗の値に基づいて触媒の劣化を判断するものである。
【００２８】
例えば脱臭・脱煙装置６５に油分等の触媒以外の異物が付着すると、脱臭・脱煙装置６５における電気抵抗が減少する。そこで、実験等により、電流供給手段６５Ｂから供給した所定の電流における脱臭・脱煙装置６５の触媒における電気抵抗の所定値（閾値）をあらかじめ定めておき、記憶手段１２に記憶しておく。例えば、正常動作時の平均的な電気抵抗の値を計測により求めておく。異常時は正常時に比べて電気抵抗が低くなるため、平均電気抵抗値より例えば１０％低くなった値を閾値に決定する。そして、抵抗検知手段６５Ａの検知に係る電気抵抗の値に基づいて、その所定値を越えたもの（例えば所定値以下になったもの）と判断すると、触媒が劣化しているものとして、上面表示部５Ａに、表示信号を送信し、触媒の異常に係る表示を行わせる。それ以外の制御手段１１の触媒劣化判断に係る処理は、上述の実施の形態で説明したことと同様である。
【００２９】
以上のように、実施の形態３の加熱調理器によれば、制御手段１１が、触媒における電気抵抗の値が所定値を越えたものと判断すると、触媒の異常に係る表示、例えば点検、交換等を促す旨を上面表示部５Ａに表示させるようにしたので、例えば、加熱調理器、台所等を油煙等で汚す前に、点検、交換等による対応を促すことができる。また、早期に対応させることにより、事故等を未然に防止等することができる。
【００３０】
実施の形態４．
図８は本発明の実施の形態４に係る排気通路６３を中心とした加熱調理器の断面を表す図である。上述の実施の形態３では、抵抗検知手段６５Ａを用いて、脱臭・脱煙装置６５の触媒における電気抵抗に基づいて触媒の劣化を判断した。本実施の形態は、脱臭・脱煙装置６５に温度検知手段６５Ｃを設け、時間に対する触媒の温度変化に基づいて触媒の劣化を判断するものである。
【００３１】
例えば、脱臭・脱煙装置６５に異物が付着等していると、例えば、触媒が十分に加熱されず、脱臭、脱煙機能を発揮できない、温度の上昇が鈍化する等、正常時における脱臭・脱煙装置６５の触媒の温度上昇特性と異なる特性を示す。
【００３２】
そこで、調理庫６０において被加熱物の加熱（調理）が開始されてから、温度検知手段６５Ｃの検知に係る温度のデータに基づいて、例えば時間的に隣り合う温度の差分を算出する等、調理メニューや別途調理庫６０に設けた温度入力手段（図示せず）の入力によって設定された温度条件に応じた温度上昇に係るデータを算出し、記憶手段１２に記憶していく。制御手段１１は、実験等によりあらかじめ定めた時間と温度差との関係に基づいて、所定の時間における温度差が触媒が機能している場合の温度差よりも小さいと判断すると、温度上昇が鈍いものと判断し、触媒が劣化しているものとして、上面表示部５Ａに、表示信号を送信し、触媒の異常に係る表示を行わせる。それ以外の制御手段１１の触媒劣化判断に係る処理は、上述の実施の形態で説明したことと同様である。
【００３３】
以上のように、実施の形態４の加熱調理器によれば、脱臭・脱煙装置６５に温度検知手段６５Ｃを設け、通常の温度上昇特性と比較して、温度上昇が鈍いものと判断すると、触媒の異常に係る表示、例えば点検、交換等を促す旨を上面表示部５Ａに表示させるようにしたので、例えば、加熱調理器、台所等を油煙等で汚す前に、点検、交換等による対応を促すことができる。また、早期に対応させることにより、事故等を未然に防止等することができる。
【００３４】
実施の形態５．
図９は本発明の実施の形態５に係る排気通路６３を中心とした加熱調理器の断面を表す図である。図９において、回転数検知手段６６Ａは、排気促進用ファン６６の回転数を検知するために設けた手段である。回転数検知手段６６Ａは接触式でもよいが、本実施の形態では、例えば赤外線を発し、赤外線の反射により回転数を検知する非接触式の回転数検知手段で構成する。そのため、本実施の形態における排気促進用ファン６６は、耐熱用の金属製の羽根を用いているものとする。
【００３５】
上述の実施の形態１及び２では、排気通路６３に光センサ７０を設け、また、実施の形態３及び４では、脱臭・脱煙装置６５に抵抗検知手段６５Ａ、温度検知手段６５Ｃを設けて触媒の劣化を判断した。本実施の形態は、回転数検知手段６６Ａを設け、排気促進用ファン６６の回転数に基づいて触媒の劣化を判断するものである。
【００３６】
例えば、脱臭・脱煙装置６５の触媒に付着した異物について、異物の量が多くなり、付着範囲が広がってくると、空気の通り道を塞ぎ、空気の流れを阻害するため、単位時間における脱臭・脱煙装置６５を通過する空気の量が少なくなってくる。これにより、排気通路４７における圧損が増加する。この圧損が増加すると排気促進用ファン６６の回転数が減少する。
【００３７】
したがって、制御手段１１は、回転数検知手段６６Ａからの信号に基づいて、排気促進用ファン６６の回転数を判断し、排気促進用ファン６６の回転数が所定回転数以下になったものと判断すると、触媒が劣化したものと判断する。ここで、所定回転数の設定に関しては、例えば、正常動作時の平均的な回転数を計測により求めておく。異常時は正常時に比べて回転数が低くなるため、平均回転数より例えば１０％低くなった値を閾値に決定する。
【００３８】
以上のように、実施の形態５の加熱調理器によれば、回転数検知手段６６Ａを設け、制御手段１１が回転数検知手段６６Ａからの信号に基づいて、排気促進用ファン６６の回転数が所定回転数以上になり、触媒が劣化しているものと判断すると、触媒の異常に係る表示、例えば点検、交換等を促す旨を上面表示部５Ａに表示させるようにしたので、例えば、加熱調理器、台所等を油煙等で汚す前に、点検、交換等による対応を促すことができる。また、早期に対応させることにより、事故等を未然に防止等することができる。
【００３９】
実施の形態６．
上述の実施の形態では、排気促進用ファン６６の回転数を直接的に検知するようにしたが、例えば、排気促進用ファン６６を回転させる駆動モータ６７に電流検知手段を設け、駆動モータ６７に流れる電流に基づいて触媒の劣化を判断するようにしてもよい。駆動モータ６７に流れる電流が多くなると、排気促進用ファン６６の回転数が増加することになる。そこで、制御手段１１は、電流検知手段の検知に基づく電流が所定値以上になったかどうかを判断することにより、間接的に回転数の増加を判断することで、触媒の劣化を判断する。
【００４０】
制御手段１１は、電流検知手段からの信号に基づいて、駆動モータ６７に流れる電流量（間接的に排気促進用ファン６６の回転数となる）が所定の電流量以上になったものと判断すると、触媒が劣化したものと判断する。ここで、電流量の設定に関しては、通常の加熱調理動作では、流れることのない電流量に設定するようにすればよい。それ以外の制御手段１１の触媒劣化判断に係る処理は、上述の実施の形態で説明したことと同様である。
【００４１】
以上のように、実施の形態６の加熱調理器によれば、電流検知手段を設け、制御手段１１が電流検知手段６６Ｂからの信号に基づいて、駆動モータ６７に流れる電流量が所定の電流量以上になり、触媒が劣化しているものと判断すると、触媒の異常に係る表示、例えば点検、交換等を促す旨を上面表示部５Ａに表示させるようにしたので、例えば、加熱調理器、台所等を油煙等で汚す前に、点検、交換等による対応を促すことができる。また、早期に対応させることにより、事故等を未然に防止等することができる。
【００４２】
実施の形態７．
図１０は本発明の実施の形態７に係る排気通路６３を中心とした加熱調理器の断面を表す図である。風速検知手段６３Ａは、排気通路６３における風速を検知するための手段であり、脱臭・脱煙装置６５よりも下流側に設けられている。上述の実施の形態５では、回転数検知手段６６Ａが検知した排気促進用ファン６６の回転数に基づいて触媒の劣化を判断した。本実施の形態は、排気通路６３に風速検知手段６３Ａを設け、排気通路６３を流れる空気の風速に基づいて触媒の劣化を判断するものである。
【００４３】
例えば、上述したように、脱臭・脱煙装置６５の触媒に異物が付着すると、空気の通り道を塞ぎ、空気の流れを阻害するため、単位時間における脱臭・脱煙装置６５を通過する空気の量が少なくなってくる。そこで、本実施の形態では、風速検知手段６３Ａを設け、風速が所定の速度以下になったものと判断すると、触媒が劣化したものと判断する。
【００４４】
以上のように、実施の形態７の加熱調理器によれば、風速検知手段６３Ａを設け、制御手段１１が風速検知手段６３Ａからの信号に基づいて、排気通路６３を流れる空気の風速が所定の速度以下になり、触媒が劣化しているものと判断すると、触媒の異常に係る表示、例えば点検、交換等を促す旨を上面表示部５Ａに表示させるようにしたので、例えば、加熱調理器、台所等を油煙等で汚す前に、点検、交換等による対応を促すことができる。また、早期に対応させることにより、事故等を未然に防止等することができる。
【００４５】
これまでの説明では、劣化検知手段として、回転数、駆動電流、風速を用いて劣化を検知する方法について述べた。ここで、回転数、駆動電流、風速の変化は、排気風路６３を流れる空気の流量の変化としても表れるため、流量を用いて劣化を検知することも可能である。
【００４６】
実施の形態８．
上述の実施の形態では、前記触媒が正常に機能しておらず、触媒が劣化しているものと判断すると、上面表示部５Ａに触媒の異常に係る表示を行うようにしたが、本発明はこれだけに限定するものではない。例えば、制御手段１１は、被加熱物の加熱調理動作を停止させる又は開始させないようにするように処理してもよい。この場合、１度の判断で加熱調理動作を行わないようにするのではなく、触媒の劣化を判断し、上面表示部５Ａに触媒の異常に係る表示を行った後、加熱調理動作を停止させる又は開始させないようにするようにしてもよい。
【００４７】
また、上述の実施の形態では、上面表示部５Ａに触媒の異常に係る表示を行わせるようにしたが、例えば音声等により報知するようにしてもよい。
【００４８】
実施の形態９．
上述の実施の形態では、ＩＨクッキングヒータのグリル部６に基づいて触媒劣化の判断に係る説明を行ったが、適用する加熱調理器をＩＨクッキングヒータのグリル部に限定するものではない。例えば、グリル単体の加熱調理器においても適用することができる。
【符号の説明】
【００４９】
１  天板、２Ａ  左誘導加熱部、２Ｂ  右誘導加熱部、３  ヒータ部、４Ａ  上面操作部、４Ｂ  前面操作部、５Ａ  上面表示部、５Ｂ  前面表示部、６  グリル部、１１  主制御手段、１２  記憶手段、１３  調理タイマ、３０  受皿、３１  焼き網、４１  開口部、４２  上ヒータ、４３  下ヒータ、４４  ヒータ駆動手段、４６  連通口、４７  レール固定部、４８  レール可動部、６０  調理庫、６１  グリル扉、６１Ａ  パッキン、６２  取っ手、６３  排気風路、６３Ａ  風速検知手段、６４  触媒用加熱ヒータ、６５  脱臭・脱煙装置、６５Ａ  抵抗検知手段、６５Ｂ  電流供給手段、６５Ｃ  温度検知手段、６６  排気促進用ファン、６６Ａ  回転数検知手段、６７  駆動モータ、７０  光センサ、７０Ａ  発光部、７０Ｂ  受光部。
【図１】
2010243107.tif 000003
【図２】
2010243107.tif 000004
【図３】
2010243107.tif 000005
【図４】
2010243107.tif 000006
【図５】
2010243107.tif 000007
【図６】
2010243107.tif 000008
【図７】
2010243107.tif 000009
【図８】
2010243107.tif 000010
【図９】
2010243107.tif 000011
【図１０】
2010243107.tif 000012